(57)【要約】【課題】  体にフィットするテーブルナプキンを提供する。【解決手段】  テーブルナプキン１の縁部に形成された袋部３内に形状記憶部材６を挿入し、人８の輪郭に沿って形状記憶部材６を曲げてテーブルナプキン１の形態を自立して維持できる構成とする。【選択図】  図３
2007117386.tif 000002
【特許請求の範囲】
【請求項１】
形状記憶部材を配設してなるテーブルナプキン。
【請求項２】
形状記憶部材を周縁に沿って配設したことを特徴とする請求項１に記載のテーブルナプキン。
【請求項３】
少なくとも相対向する二辺に沿って形状記憶部材を配設してなる請求項２に記載のテーブルナプキン。
【請求項４】
形状記憶部材を形状記憶樹脂の線材とした請求項１から３のいずれか一項に記載のテーブルナプキン。
【請求項５】
周縁に沿って形状記憶部材を配設してなるテーブルクロス。
【請求項６】
形状記憶部材を形状記憶樹脂の線材とした請求項５に記載のテーブルクロス。
【請求項７】
織物、不織布、フイルム等からなる柔軟性のあるシートの周縁に沿って形状記憶部材を配設してなるシート状体。
【発明の詳細な説明】
【技術分野】
【０００１】
本発明は、形状記憶部材を配設したテーブルナプキンやテーブルクロス、並びに各種のシート状体に関する。
【背景技術】
【０００２】
レストランで提供されるテーブルナプキンは、通常客の膝の上に置かれるが、もっとも汚れやすいのは胸元である。胸元をテーブルナプキンで覆う場合は、テーブルナプキンが落ちないように、Ｙシャツのボタンで胸元に吊り下げるなどしている（特許文献１参照）。
【特許文献１】特開平１１−３４６８９４号公報
【発明の開示】
【発明が解決しようとする課題】
【０００３】
特許文献１のテーブルナプキンは、ナプキンに衣服のボタンに係合する係合孔を開けておき、使用者のシャツのボタンでテーブルナプキンを胸元に装着する。
【０００４】
テーブルナプキンをボタンで吊り下げて胸元に装着した場合、ボタンの係合孔の箇所だけを支持点としてナプキンが下方へ垂れ下がった状態になるので、テーブルナプキンで胸元全体を覆うことができない。また、テーブルナプキンの左右部分がバタつくために腕を動かすときにテーブルナプキンが邪魔になりやすい。このため、ナプキンを使うのが煩わしく感じられ、ナプキンを取り去ってしまうことがよくあった。
【０００５】
また、膝の上にテーブルナプキンを置いた場合、衣服の素材によってはテーブルナプキンが滑りやすく、ナプキンが簡単に膝から床に落ちたり、ナプキンの位置がずれて衣服を汚してしまうことがよくあった。
【０００６】
本発明の第一の目的は、体の輪郭に沿って曲げた形態が維持されるテーブルナプキンを提供することである。第二の目的は、机の縁で曲げた形態を維持できるテープルクロスを提供することである。第三の目的は、曲げた形態を維持できるシート状体を提供することにある。
【課題を解決するための手段】
【０００７】
テーブルナプキンに係る請求項１の発明は、形状記憶部材を配設したものである。形状記憶部材を使用者の体の輪郭に沿わせて曲げることにより、ナプキンを胸元や膝上で安定させることができる。
【０００８】
請求項２の発明は、請求項１において、形状記憶部材を周縁に沿って配設したものである。形状記憶部材が周縁に存在するので、使用者の体の輪郭に沿わせて曲げることにより、ナプキンを胸元や膝上で安定させることができる。
【０００９】
請求項３の発明は、請求項２において、少なくとも相対向する二辺に形状記憶部材を配設したものである。二辺の形状記憶部材を、例えば胸元で縦置きにすることによりナプキンを自立させることができる。また、二辺の形状記憶部材を膝上で横置きにすることによりナプキンの横ずれを防止することができる。
【００１０】
請求項４の発明は、請求項１〜３のいずれかにおいて、形状記憶部材を形状記憶樹脂の線材としたので、形状記憶樹脂は安価で入手が容易であり、かつ、軽量で耐久性に優れる。
【００１１】
テーブルクロスに係る請求項５の発明は、周縁に沿って形状記憶部材を配設したものである。テーブルからテーブルクロスの先端側を垂れ下がらせる場合、テーブルの縁で水平方向から直角下方向へ曲げた形態を維持できるのでテーブルクロスの位置ずれを防止できる。
【００１２】
請求項６の発明は、請求項５において、形状記憶部材を形状記憶樹脂の線材としたので、形状記憶樹脂は安価で入手が容易であり、かつ、軽量で耐久性に優れる。
【００１３】
シート状体に係る請求項７の発明は、織物、不織布、フイルム等からなる柔軟性のあるシートの周縁に沿って形状記憶部材を配設したものである。汚れや埃が付着するのを防止するために覆い材として用いるときに、周縁の曲げた形態が維持されるので、この曲げた部分を定着物に係合させるなどしてシートがずれるのを防止することができる。
【発明の効果】
【００１４】
本発明は、人の体の輪郭に沿って形状記憶部材を曲げ、その曲げた形状が維持されるのでテーブルナプキンが体からずれにくくなり、食事時に衣服を汚すことがなくなる。テーブルナプキンを任意の胸元高さで体に沿わせることができるので、例えば胸元中間高さでナプキンを自立させて体の輪郭に沿わしめ、盛装時の胸元の宝飾品やネクタイをナプキンで過度に隠すことなく華麗な雰囲気を演出することができる。テーブルナプキンがごわごわしてずれることがなく、食事をする動作に違和感を与えることがない。また、レストラン等での使用だけでなく、病院や老人などの介護用のナプキン（エプロンと呼ぶこともある）に用いても、人がどの様な姿勢であっても体の輪郭にナプキンを沿わせて安定的にフィットさせることができるので、本人ならびに介護者が両手を自由に使え食事等の動作がし易くなるとともに、衣服を汚すことがない。
【００１５】
本発明は、テーブルクロスに適用することができ、テーブルの縁に沿って形状記憶部材を曲げれば、形状記憶部材が位置決め部材として機能して、テーブルクロスが位置ずれすることがない。特にトップクロスとして利用した場合は、形状記憶部材による曲げ箇所が、下のクロスの位置決めともなり、ともにずれることがない。
【００１６】
また、本発明は、シート状体に適用することができ、シートの周縁の形状記憶部材を曲げて定着物等に係合させることにより、シートのずれを防止して、覆った部分を埃、チリや食べ物で汚すことが防止される。シートは例えば、覆い布、テーブルランナー、ハンカチ、エプロン等である。
【発明を実施するための最良の形態】
【００１７】
以下本発明の実施の形態１について図１〜図５に基づいて説明する。
【００１８】
テーブルナプキン１は、図１に示すように、方形状の織物２の周縁（４辺）を所定幅で内側へ曲げ、糸４を縫いつけて袋部３を形成している。織物２の角部近くであって糸４が縫いつけられていない箇所に、袋部３とつながった開口５が形成されている。この開口５から形状記憶部材６が図２に示すように袋部３内へ挿入される。
【００１９】
テーブルナプキン１は、織物２に限定されるものでなく、例えば不織布、合成樹脂等のシートで柔軟性があればよい。
【００２０】
形状記憶部材６は、形状記憶樹脂の平線材で形成されている。形状記憶部材６は、平線材に限定されるものではなく、丸線、撚線、捻り線等であってもよいが、テーブルナプキン１の縁がしわにならない張りのある状態、或いは曲げたときの形態を維持する自立状態を得るためには平線材がよい。形状記憶樹脂は、金属製線材に比べて、軽量で安価であり、かつ耐久性に優れている。
【００２１】
テーブルナプキン１の使用状態を図３、図４に基づき説明する。図３は、椅子７に着座した人８の膝９と胸元１０中程をテーブルナプキン１で覆った場合であり、テーブルナプキン１の辺ａに設けられた形状記憶部材６は、人８の膝９から胸元１０の側部輪郭（膝の側面から脇）に沿って略Ｌ字状に曲げられている。その結果、テーブルナプキン１は、側面から見て略Ｌ字状に自立した形態となるので、腕や体の前後移動で胸元にくるテーブルナプキン１が垂れ下がることがなく、胸元を汚すことがない。また、胸元１０の中程の高さまで覆うと、テーブルの高さよりも少し高い位置まで覆うことになるので、衣服を汚す確率が非常に少なくなる。テーブルナプキン１で胸元１０の中程までを覆っても首回りのネクタイや装飾品を過度に隠してしまうことがないので、盛装時の華麗な雰囲気を損なうことがない。
【００２２】
テーブルナプキン１の膝９や胸元１０を横切る辺ｂの形状記憶部材６を体に沿わせて側面（膝の側面から脇にかけて）まで回り込ませることにより、着座した状態で人が左右に動いてもテーブルナプキン１が横ずれすることがない。胸元１０を横切る辺ｂを体に沿わせて曲げると横ずれ防止効果と共に、いわゆる曲面リブ出しによりナプキン１の自立性を高めることができる。
【００２３】
椅子７に着座した人８の膝９を覆った場合を図４に示す。テーブルナプキン１を半分に折って膝９の上に置き、膝９を横切る辺ｂの形状記憶部材６を膝９の側面まで曲げることにより、テーブルナプキン１が膝９の外側側面を覆うことになるので、ナプキン１が膝９上でずれたり、膝９から簡単にずり落ちることがないので、衣服を汚すことがない。
【００２４】
形状記憶部材６は各辺ａ，ｂに必ずしも連続した１本を入れる必要はなく、図５に示すように相対向する辺ａ，ｂの袋部３に、短くカットした形状記憶部材６ａ，６ｂを２本、３本と入れてもよい。
【００２５】
前述のテーブルナプキン１は、四角形状をしており、各コーナ部がほぼ直角となった形状をしている。そのため、脇の下から胸元のラインよりも上方の首に掛けての部分を覆いにくかった。テーブルナプキン１１１で、人８の胴部前面をできるだけ覆うようにするために、図６に示すように、脇の下から胸にかけてのライン（図６中一点鎖線で示すライン）を境に上部部位１１２と下部部位１１３とで構成することもできる。上部部位１１２は、図７に示すように、人８の脇の下９ｂから胸にかけてのラインから首に至る輪郭を覆うように幅を狭く形成している。また、下部部位１１３は、脇の下９ｂから胸にかけてのラインよりも下方で足の付け根９ａ当たりまでを覆い、人８の足の付け根９ａから脇の下９ｂあたりまでの側部輪郭に沿って略Ｌ字状に曲げることができるように上部部位１１２よりも幅を広く形成している。このテーブルナプキン１１１は、周縁に袋部３を形成して、袋部３の内部に全周にわたって形状記憶部材６を挿入配置している。この形状記憶部材６は、図６からもわかるように、下部部位１１３に比べて上部部位１１２の周囲が円弧状になっているので、周縁に沿わし易くするために撚線を用いることが望ましい。
【００２６】
このようなテーブルナプキン１１１の使用状態を図７に基づき説明すると、図７は椅子７に着座した人８の前面の胴部輪郭をテーブルナプキン１１１で覆った場合である。テーブルナプキン１１１の周縁に設けられた形状記憶部材６は、下部部位１１３が人８の胸元１０から側部輪郭（膝の側面から脇）に沿って略Ｌ字状に曲げられている。このとき下部部位１１３の下端は形状記憶部材を前方上方へ曲げることにより、袋状の食べかす等の受部１１４を形成することができる。この受部１１４を必要としない場合は、足の付け根９ａもしくは脇の側面側へ曲げておけばよい。また、上部部位１１２は、周縁の形状記憶部材６を略Ｌ字状に折り曲げる必要がなく、形状記憶部材６を肩から胸の輪郭に沿って押しつけることにより、上部部位１１２で胸元から首筋までを覆うことができる。その結果、テーブルナプキン１１１は、側面から見て略Ｌ字状に自立した形態となるので、腕や体の前後移動で胸元にくるテーブルナプキン１１１が垂れ下がることがなく、さらに上部部位１１２が腕と当たることがないので、確実に胸元を覆うことができ、衣服を汚すことがない。また、テーブルナプキン１１１を体の不自由な人の介護用に用いた場合には、寝た姿勢や、ベッド等を起こして斜めに傾斜した姿勢の場合もあり、このような場合にも、胸元から上の部分を上部部位１１２で覆うことができるので、胸元を汚すことがなく、安心して食事ができる。
【００２７】
なお、テーブルナプキン１１１に、形状記憶部材６を挿入しているので、形状記憶部材６を付けたまま洗濯するのが不便な場合は、テーブルナプキン２１１を図８に示すように、基部２１２とカバー部２１３とより構成することができる。基部２１２は、前述のテーブルナプキン１１１と同じ構成とすることができる。そして、カバー部２１３を基部２１２よりも若干大きな紙や布等のシートで形成して、それぞれに面ファスナ２１４を取付けておき、面ファスナ２１４同士を接合して基部２１２とカバー部２１３を一体にして使用できる。この場合、カバー部２１３が、紙であれば面ファスナ２１４を外して、カバー部２１３を使い捨てとして使用できるし、布であれば面ファスナ２１４を外して洗濯を簡単にすることができる。この基部とカバー部にする考えは上述の四角形状のテーブルナプキン１にも適用できる。また、基部２１２とカバー部２１３を面ファスナ２１４で着脱自在に構成したが、例えばカバー部２１３に基部２１２の周縁を覆う袋部を形成して、カバー部２１３で基部２１２の周縁を覆い着脱自在にすることもでき、カバー部２１３と基部２１２の固着方法は面ファスナ２１４にこだわるものではない。
【００２８】
次にテーブルクロスに形状記憶部材を用いた変形実施形態を図９，図１０により説明する。
【００２９】
テーブルクロス２１は、図９に示すように、織物２２の周縁（４辺）を所定幅で内側へ曲げ、糸２４を縫いつけて袋部２３を形成している。織物２２の角部近くであって糸２４が縫われていない箇所に、袋部２３とつながった開口２５が形成されている。この開口２５から形状記憶部材２６が袋部２３内へ挿入されている。形状記憶部材２６は、前記実施の形態１の形状記憶部材６と同じものを用いている。
【００３０】
テーブルクロス２１をトップクロスとして用いた例を図１０に示す。テーブル２７の上に形状記憶部材を備えていないテーブルクロス２８を置いて、その上にテーブルクロス２８と角度を変えてテーブルクロス２１を置いている。テーブル２７の縁でテーブルクロス２１の形状記憶部材２６を曲げることにより、テーブルクロス２１が水平部２１ａと直角下方へ延びた垂直部２１ｂとに曲げた形態を維持されるので、テーブルクロス２１の据わりが良くなり、位置がずれにくくなる。
【００３１】
テーブルクロス２１がテーブル２７に対して据わりが良くなることは、テーブルクロス２８をテーブルクロス２１の曲げた箇所で押えることになるので、テーブルクロス２８のテーブル２７に対する据わりも良くなり、テーブルクロス２１，２８が共に位置ずれを起こすことが少なく見栄えが良くなる。
【００３２】
特に、テーブルクロス２１，２８に模様が描かれている場合、模様の位置がずれることがないので、見栄えを悪くすることがない。
【００３３】
トップクロスとして使用するテーブルクロス２１にのみ形状記憶部材２６を設けて説明したが、テーブルクロス２８にもテーブルクロス２１と同様に形状記憶部材２６を設けてもよい。また、テーブルクロス２１のみをテーブル２７に掛けてもよい。
【００３４】
上述の説明では、テーブルナプキン１，テーブルクロス２１を用いて説明したが、テーブルの素材や下のテーブルクロスを見せつつ食卓を飾るテーブルランナーが近年使われることが多くなり、このテーブルランナーに袋部を形成して形状記憶部材を設けてもよい。また、ホテルのルームサービス時に移動トレイの上から覆う覆い布に採用してもよい。さらに、日頃持ち歩くハンカチや料理に使うエプロンを含めたシート状体の周縁に形状記憶部材を配設することにより、定着物に対して形状記憶部材を曲げて係合させることによりシートのずれを防止でき、色々な使い方ができる。
【００３５】
なお、上述のテーブルナプキン１，１１１，２１１やテーブルクロス２１等は周縁に形状記憶部材を配置したが、テーブルナプキン１，１１１１，２１１やテーブルクロス２１等を織物から形成する場合には、織物の中に形状記憶部材を縫い込むこともできる。
【図面の簡単な説明】
【００３６】
【図１】本発明の実施の形態１を示すテーブルナプキンの底面図である。
【図２】図１の形状記憶部材の袋部への挿入過程を示す部分斜視図である。
【図３】図１のテーブルナプキンで膝から胸元を覆った状態を示す斜視図である。
【図４】図１のテーブルナプキンで膝を覆った状態を示す斜視図である。
【図５】図１の変形例で、各辺に複数の形状記憶部材を設けた場合を示すテーブルナプキンの底面図である。
【図６】図１の変形例を示すテーブルナプキンの斜視図である。
【図７】図１のナプキンで胸元を覆った状態を示す斜視図である。
【図８】図６の変形例を示すカバー部を一部折り曲げた状態を示すテーブルナプキンの斜視図である。
【図９】本発明の実施の形態２を示すテーブルクロスの底面図である。
【図１０】図９のテーブルクロスをテーブルに置いた状態を示す斜視図である。
【符号の説明】
【００３７】
１，１１１，２１１   テーブルナプキン
２     織物
３     袋部
４     糸
５     開口
６     形状記憶部材
６ａ，６ｂ    形状記憶部材
７     椅子
８     人
９     膝
１０   胸元
２１   テーブルクロス
２２   織物
２３   袋部
２４   糸
２５   開口
２６   形状記憶部材
２７   テーブル
１１２ 上部部位
１１３ 下部部位
１１４ 受部
２１１ テーブルナプキン
２１２ 基部
２１３ カバー部
２１４ 面ファスナ
【図１】
2007117386.tif 000003
【図２】
2007117386.tif 000004
【図３】
2007117386.tif 000005
【図４】
2007117386.tif 000006
【図５】
2007117386.tif 000007
【図６】
2007117386.tif 000008
【図７】
2007117386.tif 000009
【図８】
2007117386.tif 000010
【図９】
2007117386.tif 000011
【図１０】
2007117386.tif 000012